(57)【要約】      （修正有）【課題】新規な構成の医療用器具を提供する。【解決手段】バルーン先端部カニューレと組合わせたバルーン切開器具の種々の実施形態が開示され、これらは、例えば、腹部腔中の解剖学的空間、またはヘルニア修復手術を容易にするために腹膜外空間のような、身体内の解剖学的空間を形成することを容易にするために提供される。カニューレとのこの組合わせたバルーン切開器具は、一般に、組織の層を分離するため、および解剖学的空間を形成するために、上記デバイスを腹部壁に係留するためのカニューレアセンブリ、および遠位端に切開バルーンを有する切開器具アセンブリを含む。バルブポートおよびサブアセンブリの種々の組合わせが、上記バルーン先端部カニューレに膨張流体を、および上記切開バルーンのための膨張流体を提供するために開示される。【選択図】図４
2010179118.tif 000002
【特許請求の範囲】
【請求項１】
明細書に記載のシステム。
【発明の詳細な説明】
【技術分野】
【０００１】
（関連出願への相互参照）
本出願は、２００３年５月８日に出願された米国仮出願第６０／４６８，９１９号の利益を主張し、その開示は、本明細書によって参考として援用される。
【０００２】
（背景）
（１．技術分野）
技術分野は、解剖学的空間を形成するためのバルーン切開器具、バルーン係留具、ならびに組合わせたバルーン切開器具およびバルーン先端カニューレを有する装置に関する。
【背景技術】
【０００３】
（２．関連技術の背景）
種々の手術の間に、組織の層を切開し、その中で外科用器具が操作され得る解剖学的空間を形成することが必要である。例えば、ヘルニア修復手術では、筋膜組織層を切開し、そしてヘルニア部位に接近するために、腹膜外空間内に解剖学的手術腔を形成することが必要である。ヘルニア修復手術で用いられる組織切開手順を実施するための種々のバルーン切開器具が公知である。これらは、一般に、チューブの遠位端上に形成された切開バルーンを有する単一デバイス、およびチューブの近位端上に形成された膨張ポートを含む。このバルーン切開器具は、切開部中に挿入され、そしてバルーンは切開のために膨張される。切開後、および切開部からこのバルーン切開器具を取り出した後、カニューレがこの切開部中に挿入され、そして解剖学的空間中への外科用器具の導入のための接近経路を形成しながらガス注入するために用いられる。
【発明の概要】
【発明が解決しようとする課題】
【０００４】
現在知られる組織切開デバイスおよびカニューレは有用ではあるが、改良が所望される。バルーン先端部カニューレと組合わせたバルーン切開器具デバイスを有することは有益である。
【課題を解決するための手段】
【０００５】
身体内に解剖学的空間を生成するためのバルーン切開器具アセンブリ、および身体中への接近ポートを提供するためのバルーン先端部カニューレアセンブリが開示される。このバルーン切開器具アセンブリおよびバルーン先端部カニューレアセンブリは、単独型器具として別個に、または、好ましくは、組合わせたバルーン切開器具およびバルーン先端部カニューレとして用いられ得る。特に、両方のデバイス上の部材がそれらを容易に組合わせられるようにする。
【０００６】
本発明の局面では、バルーン切開器具およびバルーン先端部カニューレアセンブリは：通路を規定する切開器具チューブ、および内部を有し、かつこの切開器具チューブの遠位端に、この通路およびこの内部が互いに連通するように固定されている切開バルーンを含むバルーン切開器具；この通路を通る挿入のための形態にある閉塞具；このバルーン切開器具を受容するためのカニューレチューブを有するバルーン先端部カニューレであって、このカニューレチューブが、遠位端およびこの遠位端にある係留バルーンを有するバルーン先端部カニューレ；およびこの切開バルーンを膨張するために上記通路と連通する切開膨張ポート、上記係留バルーンと連通するアンカー膨張ポート、および上記カニューレチューブと連通するガス注入ポートを有するアダプターを備える。
【０００７】
本発明のさらなる局面では、バルーン切開器具およびバルーン先端部カニューレアセンブリは：通路を規定する切開器具チューブ、および内部を有し、かつこの切開器具チューブの遠位端に、この通路およびこの内部が互いに連通するように固定されている切開バルーンを含むバルーン切開器具；この通路を通り、この切開バルーン中への挿入のための形態にある閉塞具；およびこのバルーン切開器具を受容するためのカニューレチューブを有するバルーン先端部カニューレであって、このカニューレチューブが遠位端およびこの遠位端にある係留バルーンを有するバルーン先端部カニューレ、を備える。
【０００８】
特定の好ましい実施形態では、上記バルーン切開器具は、上記通路への膨張流体を提供するために整列された膨張ポートを有する。このバルーン切開器具は、上記バルーン先端部カニューレを取り外し可能に保持するためのラッチ構造を含み得る。さらに、またはそれに代わり、このバルーン先端部カニューレは、上記バルーン切開器具を取り外し可能に保持するためのラッチ構造を含み得る。
【０００９】
特定の実施形態では、上記バルーン切開器具は、バルーン先端部カニューレ上に、上記ラッチ構造と協働するように整列された取り外し可能なシュラウドを有する。特定の好ましい実施形態では、上記切開器具チューブの内面および上記閉塞具の外面は、上記切開バルーンを膨張するためにそれらの間に膨張管腔を規定する。このバルーン切開器具はまた、切開器具バルブを、この膨張管腔が、この切開器具バルブと上記切開バルーンとの間を連通するように含み得る。
【００１０】
特定の好ましい実施形態では、上記アセンブリは、上記切開バルーンを初期収縮形態に保持するよう整列された分離可能な固定スリーブを含む。
【００１１】
本発明のさらなる局面では、バルーン切開器具アセンブリは、通路を規定する切開器具チューブ、および内部を有し、かつこの切開器具チューブの遠位端に、上記通路および内部が互いに連通するように固定されている切開バルーンを含むバルーン切開器具；上記通路を通る挿入のための形態にあり、かつ上記切開器具チューブと、上記バルーンの内部と連通する膨張管腔を形成するように整列されている閉塞具を備える。
【００１２】
本発明のさらなる局面では、バルーン切開器具アセンブリは：通路を規定する切開器具チューブ、および内部を有し、かつこの切開器具チューブの遠位端に、上記通路および内部が互いに連通するよう、および上記切開バルーンが上記切開器具チューブの遠位端から延びるように固定されている切開バルーンを備えるバルーン切開器具；および上記通路を通り、かつ上記切開バルーンの内部への挿入のために、上記切開バルーンが閉塞具上に支持されるような形態の閉塞具を備える。
【００１３】
特定の好ましい実施形態では、上記アセンブリは、上記切開バルーンを上記閉塞具上で初期収縮形態に保持するよう整列された分離可能な固定スリーブを含む。上記バルーン切開器具はまた、上記通路に膨張流体を提供するために整列された膨張ポートを有し得る。この膨張流体は、望ましくは、上記切開バルーンと連通している。このバルーンが膨張を開始するとき、上記スリーブの弱くなった領域が分離して、この切開バルーンを解放する。膨張されたこの切開バルーンは、好ましくは、組織の層を、自然の組織の平面に沿って離して押し、解剖学的空間を生成する。
【００１４】
特定の好ましい実施形態では、上記切開器具チューブの内面と上記閉塞具の外面とは、それらの間に膨張管腔を規定する。上記バルーン切開器具の近位端は、望ましくは、上記通路と連通するオリフィスを含み、上記閉塞具の上記切開器具チューブからの除去に際し、上記切開バルーンは収縮する。上記バルーン切開器具は、望ましくは、切開器具膨張バルブを含み、そして上記膨張管腔は、この切開器具膨張バルブと上記切開バルーンとの間を連通する。
【００１５】
本発明のさらなる局面では、手術における使用のために身体内に解剖学的空間を生成する方法は、身体内に切開部を形成する工程、およびこの切開部を通り、所望の位置にバルーン切開器具アセンブリを挿入する工程を包含する。このバルーン切開器具は：ｉ）通路を規定する切開器具チューブ、および内部を有し、かつこの切開器具チューブの遠位端に、上記通路および内部が互いに連通するように固定されている切開バルーンを備えるバルーン切開器具；およびｉｉ）上記通路を通る挿入のための形態にあり、かつこのバルーンの内部と連通する膨張管腔を形成するように上記解器具チューブ整列されている閉塞具を備える。上記方法は：解剖学的空間を生成するために、上記膨張管腔を通って膨張流体を、組織の層を自然の組織平面に沿って離して押すように導入することによって上記切開バルーンを膨張する工程；およびこのバルーンを収縮する工程を包含する。
【００１６】
本発明のさらなる局面では、手術における使用のために身体内に解剖学的空間を生成する方法は、身体内に切開部を形成する工程、およびこの切開部を通り、所望の位置にバルーン切開器具アセンブリを挿入する工程を包含する。このバルーン切開器具は：ｉ）通路を規定する切開器具チューブ、および内部を有し、かつこの切開器具チューブの遠位端に、上記通路および内部が互いに連通するよう、かつ切開バルーンがこの切開器具チューブの遠位端から延びるように固定されている切開バルーンを備えるバルーン切開器具；およびｉｉ）上記通路を通り、上記バルーンの内部へ、上記切開バルーンが上記閉塞具上に支持されるような挿入のための形態にある閉塞具を備える。上記方法は、閉塞具で組織をトンネル通過することを含む挿入する工程；解剖学的空間を生成するために、上記切開バルーンを、組織の層を自然の組織平面に沿って離して押すように膨張する工程；およびこのバルーンを収縮する工程を包含する。
【００１７】
特定の好ましい実施形態では、上記閉塞具および切開器具チューブは、それらの間に膨張管腔を規定し、そして上記方法は、膨張流体を上記膨張管腔中に上記切開バルーンを膨張するように導入する工程を含む。この方法は、上記通路中に器具を膨張および挿入する工程の前に、上記閉塞具を取り除く工程を含み得る。この器具は、内視鏡を包含し得る。
【００１８】
特定の好ましい実施形態では、この閉塞具は、上記切開バルーンを収縮するように膨張する工程の後に除去される。上記バルーン切開アセンブリは、上記切開バルーンを初期の収縮形態に保持するよう整列された分離可能な固定スリーブを含み得、そして上記切開バルーンを膨張する工程は、このスリーブを分離することを含み得る。
【００１９】
特定の好ましい実施形態では、上記バルーン切開器具アセンブリは腹部中に挿入され、そしてこの腹腔にあるヘルニアが修復される。
【００２０】
本発明の別の局面では、身体腔への皮下接近を提供するためのアセンブリは：カニューレチューブおよびこのカニューレチューブの遠位端上の係留バルーンを有するバルーン先端部カニューレであって、身体腔に注入流体を提供するために注入ポートを有するバルーン先端部カニューレ；このカニューレチューブ内に受容される閉塞具を備え；このバルーン先端部カニューレは、その近位端上にアダプターを有し、このアダプターおよび閉塞具は、この閉塞具とバルーン先端部カニューレを連結するために整列され、このアダプターは、このアダプター内に配置された少なくとも１つのシールを有し、かつ、この閉塞具が上記カニューレチューブから除去された後にこのカニューレチューブ内に受容されるべきデバイスを取り付けるように整列されている。
【００２１】
チューブにバルーン係留具を固定するための新規な方法が開示され、この方法は、このチューブの選択的領域に適切な材料（例えば、ウレタン）を浸漬する工程、およびこの選択的領域の周りに上記膨張可能なバルーン係留具を位置決めする工程を含む。その後、この膨張可能なバルーン係留具の対抗する端部は、熱溶接に供され得、この対向する端部を被覆される選択的領域に溶接する。シリコーンスリーブがさらに提供され得、これは、上記膨張可能なバルーン係留具上に配置可能であり、かつこのシリコーンスリーブの対向する端部に付与される熱収縮リングによりそれに固定される。
【００２２】
特定の好ましい実施形態では、上記カニューレチューブは壁を有し、そして管腔がこの壁の中に形成され、この管腔は、アンカー膨張ポートおよび係留バルーンと連通する。皮膚シールが、上記カニューレチューブ上に移動可能に取り付けられ得る。この皮膚シールは、上記細長いチューブ上の所望の長軸方向位置にこの皮膚シールを固定するための構造を含み得る。
【００２３】
特定の好ましい実施形態では、上記少なくとも１つのシールは、上記カニューレチューブ内に受容されている器具の不在下でこのカニューレチューブをシールするための第１のシールを含む。この少なくとも１つのシールはまた、器具が上記カニューレチューブ内に受容されるとき、このカニューレチューブをシールするための第２のシールを含み得る。上記注入ポートは、好ましくは、上記少なくとも１つのシールの遠位方向に位置される。
【００２４】
特定の好ましい実施形態では、上記デバイスは閉塞具を備え、そしてその他では上記デバイスは切開器具を備える。
【００２５】
この閉塞具は、上記カニューレチューブ内に、このカニューレチューブの遠位端から部分的に出て延びるように適合する形態の細長い本体を含み得る。
【００２６】
本発明の別の局面では、腹部内に解剖学器空間を生成し、かつこの腹部内の身体腔への皮下接近を提供する方法は：身体内の切開部中に挿入された切開器具を用いて解剖学的空間を生成する工程であって、この切開器具が、バルーン先端部カニューレに連結されている工程；このバルーン先端部カニューレを上記切開部を通じて挿入する工程であって、このバルーン先端部カニューレが、その遠位端上に係留バルーンを備えたカニューレチューブ、およびその近位端上にアダプターを備え、このアダプターが、上記切開器具との連結のために整列されている工程；バルーン先端部カニューレを上記切開器具から取り外す工程；この係留バルーンを膨張する工程；この係留バルーンを上記身体腔の内面に対して係合する工程；上記皮膚シールを上記身体腔の外面に対して遠位方向にスライドする工程；および上記切開器具を除去し、そして上記身体腔中に注入法流体を導入する工程を包含する。望ましくは、上記取り外す工程は、上記バルーン先端部カニューレを挿入する工程の前に実施され、そしてこのバルーン先端部カニューレは、上記切開器具上を遠位方向に進行される。上記方法は、上記バルーン先端部カニューレから閉塞具を除去する工程を含み、そしてこの切開器具は、バルーン先端部カニューレ中に挿入され得る。
【００２７】
上記皮膚シールは所定の場所に固定され得る。内視鏡は、上記閉塞具を除去する工程の後に上記バルーン先端部カニューレ中に挿入され得る。このバルーン先端部カニューレは、望ましくは、上記係留バルーンと連通するアンカー膨張ポートを含み、そして上記方法は、このアンカー膨張ポートを作動することにより、上記係留バルーンを収縮する工程を含み得る。本発明のさらなる局面では、組織を切開し、そして身体腔への皮下接近を提供する方法は、バルーン切開器具およびバルーン先端部カニューレアセンブリを切開部中に導入する工程を包含する。このバルーン切開器具およびバルーン先端部カニューレアセンブリは：ｉ）通路を規定する切開器具チューブ、および内部を有し、かつこの切開器具チューブの遠位端に、上記通路および内部が互いに連通するように固定されている切開バルーンを備えるバルーン切開器具であって、このバルーン切開器が上記通路に膨張流体を提供するために整列された膨張ポートを有するバルーン切開器具；ｉｉ）および上記通路を通り、かつ上記切開バルーンの内部への挿入のための形態にある第１の閉塞具；およびｉｉｉ）カニューレチューブおよびこのカニューレチューブの遠位端上の係留バルーンを有するバルーン先端部カニューレを備える。上記方法は：このバルーン切開器具およびバルーン先端部カニューレアセンブリ所望の位置に身体中に挿入する工程；この切開バルーンを収縮する工程；このバルーン先端部カニューレの遠位先端部を、上記切開部を通り身体腔内に係留バルーンを位置決めするために進行する工程；この係留バルーンを膨張し、そして上記皮膚シールを上記身体の外面に対して進行する工程；上記バルーン切開器具および第１の閉塞具を上記バルーン先端部カニューレから除去する工程；および注入法流体を上記身体中に導入する工程を含む。
【００２８】
特定の好ましい実施形態では、上記バルーン先端部カニューレは、第２の閉塞具を有し、そして上記方法は、上記バルーン先端部カニューレおよびバルーン切開器具を、この第２の閉塞具を除去すること、およびこのバルーン切開器具をバルーン先端部カニューレ中に挿入することによりアセンブルする工程を含む。上記バルーン切開器具上のラッチ構造は、このバルーン先端部カニューレと係合され得る。上記第１の閉塞具は、上記収縮する工程の前に除去され、そして内視鏡が上記切開器具チューブ中に挿入される。上記方法は、このバルーン先端部カニューレからラッチ構造を解放する工程を包含し得る。
【００２９】
上記皮膚シールは、望ましくは、身体の外面に対して固定される。望ましくは、上記方法は、上記係留バルーンを収縮することを含む。上記バルーン先端部カニューレは、身体から除去され得る。
より特定すれば、本願発明は以下の項目に関し得る。
（項目１）
外科用器具であって、以下：
切開器具ハウジング、上記切開器具ハウジングから遠位方向に延びる切開器具チューブ、および上記切開器具チューブの遠位端上に取り付けられた切開バルーンを有するバルーン切開器具；
カニューレハウジングおよび上記カニューレハウジングから遠位方向に延びるカニューレチューブを有するカニューレであって、上記カニューレハウジングが上記カニューレチューブの遠位端にバルーン係留具を有するカニューレ、
を備え、そして
上記切開器具ハウジングおよびカニューレハウジングのうちの一方が、ラッチ構造を有し、そして上記切開器具ハウジングおよびカニューレハウジングのうちの他方が、上記ラッチ構造の受容のための凹部を有する、
外科用器具。
（項目２）
上記カニューレハウジングが上記ラッチ構造を含み、そして上記切開器具ハウジングが上記ラッチ構造の受容のための凹部を含み、上記カニューレハウジングおよび切開器具ハウジングを一緒に取り外し可能に固定する、項目１に記載の外科用器具。
（項目３）
上記ラッチ構造が、少なくとも１つの移動可能なアームを含む、項目１に記載の外科用器具。
（項目４）
上記少なくとも１つの移動可能なアームが、上記凹部と係合可能なフックを含む、項目３に記載の外科用器具。
（項目５）
上記カニューレハウジングに取り外し可能に取り付け可能であるシュラウドをさらに備える、項目１に記載の外科用器具。
（項目６）
上記切開器具ハウジングに取り外し可能に取り付け可能である端部キャップをさらに備える、項目１に記載の外科用器具。
（項目７）
上記バルーン係留具の少なくとも一部分を取り囲むスリーブをさらに備え、上記スリーブが上記バルーン係留具を収縮に向かって付勢する傾向にし、上記カニューレハウジングが上記バルーン係留具と連通するバルブを有する、項目１に記載の外科用器具。
（項目８）
バルーン先端部カニューレであって：
カニューレハウジング；
上記カニューレハウジングから遠位方向に延びるカニューレチューブ；
係留バルーンであって、上記係留バルーンの対向する端部が、上記カニューレチューブに固定されている係留バルーン；および
上記バルーン係留具の少なくとも一部分を取り囲むスリーブであって、上記スリーブが上記バルーン係留具を収縮に向かうよう付勢する傾向にある、スリーブ、を備える、バルーン先端部カニューレ。
（項目９）
上記係留バルーンが、ウレタン材料から形成される、項目８に記載のバルーン先端部カニューレ。
（項目１０）
上記スリーブの対向する端部の各々の周りに位置するリングをさらに備える、項目８に記載のバルーン先端部カニューレ。
（項目１１）
各リングが、熱収縮可能な材料から形成される、項目１０に記載のバルーン先端部カニューレ。
（項目１２）
係留バルーンをカニューレチューブに固定する方法であって：
係留バルーンの対向する端部をカニューレチューブに固定する工程；および
上記係留バルーンの周りにスリーブを配置する工程、
を包含する、方法。
（項目１３）
可撓性の上記スリーブが、上記スリーブの対向する端部の周りに付与されたバンドによって、上記係留バルーンの上に固定される、項目１２に記載の方法。
（項目１４）
上記バンドが熱収縮可能な材料から形成され、そして上記スリーブの対向する端部の周りで熱収縮され、上記スリーブを上記係留バルーンの上に固定する、項目１３に記載の方法。
【図面の簡単な説明】
【００３０】
【図１】図１は、本発明の実施形態によるバルーン切開器具アセンブリの断面側面図である。
【図２】図２は、図１の実施形態によるバルーン切開器具アセンブリの分解斜視図である。
【図２−１】図２−１において、図２Ａは、図１の線２Ａ−２Ａに沿ってとった断面図である。図２Ｂは、図１〜２Ａの実施形態によるバルーンの斜視図である。
【図３】図３は、本発明の別の実施形態によるバルーン先端部カニューレアセンブリの断面側面図である。
【図４】図４は、図３の実施形態によるバルーン先端部カニューレアセンブリの分解斜視図である。
【図４−１】図４−１において、図４Ａは、バルーン先端部カニューレの細長いチューブおよび膨張可能なバルーン係留具の斜視図である。図４Ｂは、遠位端上に位置決めされた膨張可能なバルーン係留具をもつバルーン先端部カニューレの細長いチューブの斜視図である。図４Ｃは、図４Ｂと同様の図であり、上記膨張可能なバルーン係留具の対向する端部が、上記細長いチューブに溶接されている。図４Ｄは、上記膨張可能なバルーン係留具上への固定のためのシリコーンスリーブおよび熱収縮管材の斜視図である。
【図５】図５は、本発明のさらなる実施形態によるバルーン先端部カニューレと組合わせたバルーン切開器具の断面側面図である。
【図６】図６は、図５の実施形態によるバルーン先端部カニューレと組合わせたバルーン切開器具の斜視図である。
【図７】図７は、組合わせバルーン切開器具とバルーン先端部カニューレのさらなる実施形態の断面図である。
【図８】図７の実施形態による組合わせバルーン切開器具とバルーン先端部カニューレの斜視図である。
【図９】図９は、図７の実施形態によるバルーン切開器具の断面図である。
【図１０】図１０は、図７の実施形態によるバルーン先端部カニューレの断面図である。
【発明を実施するための形態】
【００３１】
現在開示されるバルーン切開器具およびバルーン先端部カニューレの好ましい実施形態を図面を参照して本明細書中で説明する。
【００３２】
現在開示されるバルーン切開器具アセンブリ、バルーン先端部カニューレアセンブリおよびバルーン先端部カニューレと組合わせたバルーン切開器具の好ましい実施形態が、ここで、図面を参照して詳細に説明され、ここでは、いくつかの図面の各々で、同様の参照番号は、同一または対応する要素を指定する。本明細書で用いられるとき、用語「遠位」は、使用者からより遠い器具またはその部材の部分をいい、その一方、用語「近位」は、使用者により近い器具またはその部材の部分をいう。
【００３３】
図１および２を参照して、本発明の実施形態によるバルーン切開器具アセンブリ１０が示される。バルーン切開器具アセンブリ１０は、一般に、長軸方向軸Ｘを有し、そしてアダプターアセンブリ２４および閉塞具アセンブリ２６を有するバルーン切開器具１２を含む。バルーン切開器具アセンブリ１０は、患者の身体内に解剖学的空間を形成するよう組織の層を分割するために、膨張のための形状およびそのために適合された切開バルーン１４を含む。膨張アパーチャ１６は、切開バルーン１４の近位領域中に位置し、そして切開器具１８の遠位端を受容し、かつそれに固定されるような寸法である。切開器具チューブ１８は、それらの間に接近通路２０を規定する開放近位端および遠位端を有する細長い管状構造である。膨張ポート２２は、切開器具１８の近位端に位置し、そしてこの通路２０と膨張圧力の供給源との間に連通チャネルを提供する。
【００３４】
切開バルーン１４は、この遠位領域５８が実質的に透明なセクション、または窓を含む材料から製造され得、それによって、切開される空間への可視的接近を可能にすることがさらに想定される。さらに、またはそれに代わり、切開バルーン１４は、これもまた上記切開される空間への可視的接近を可能にする実質的に透明である材料か製造され得る。膨張圧力が付与されるとき、切開バルーン１４は、望ましくは、所定の形態およびサイズに拡張する。外科的手順とともに異なる形状およびサイズが想定され、どの形状およびサイズが選択されるかを決定する。この切開バルーンは、すべての方向、その高さにおけるような特定の方向に選択的に弾性であり得る。
【００３５】
しばらくの間、図２Ａおよび２Ｂを参照して、スリーブカバー６０が、切開バルーン１４の周りに提供され、切開バルーン１４を身体中への挿入の間および膨張の前に収縮状態に保持する。スリーブカバー６０は、切開器具チューブ１８に取り付けられた切開バルーン１４に固定され得るか、またはそれに対して移動可能に取り付けられる。スリーブカバー６０は、長軸方向の弱くなった穿孔領域２１を、切開バルーン１４の膨張に際し、上記スリーブがこれら穿孔に沿って分離し、そして切開バルーン１４を解放するように含む。特定の好ましい実施形態では、上記切開バルーン１４は、軸Ｘに向かって内方に巻かれ、そして上記スリーブカバー６０を用いて固定される周縁端部１１および１３を有する。上記スリーブカバーは、１９で、フラップ１５、１７の形態にあるバルーンの材料に熱シールされる。これら周縁エッジ１１および１３が折り畳まれるか、または巻かれた後、これらスリーブカバー６０のフラップは、この巻かれたバルーンの周りに延ばされ、そしてこれらフラップは互いに熱シールされる。これらフラップの１つに予備形成された穿孔２１は、このスリーブカバー６０が上記バルーンの膨張に際し分離することを可能にする。
【００３６】
先行技術の切開バルーンは、上記デバイスの長軸方向軸に実質的に直交してほぼ配置され、ここで、それらの初期膨張運動は、それらを、長軸方向軸と整列され、おそらくは、意図されない組織損傷を増加する。現在の実施携帯では、上記バルーンは、側面方向には巻かれないか、または折り畳まれない。
【００３７】
アダプターアセンブリ２４は、切開器具チューブ１８の近位端への取り付けのための形態であり、そして一般に、図２で最も良く観察されるように、シュラウド２８、および端部キャップ３０に取り付けられたラッチアダプター３４を有する端部キャップを含む。アダプターアセンブリ２４の遠位領域に位置して、この取り外し可能なシュラウド２８は、切開器具チューブ１８の近位端を取り囲むための寸法である。シュラウド２８は、好ましくは、ほぼ円錐台形状にある形態であり、ここで、狭い部分が切開器具チューブ１８を取り囲み、そしてより広い部分が、ラッチアダプター３４を受容するために適合されている。ラッチアダプター３４は、一対の対向するアーム３６を含む。アーム３６の各々は、ほぼ可撓性であり、そしてその開始位置にばねで戻るよう付勢される。さらに、アーム３６の各々は、遠位フック３８および近位レバー４０を含む。レバー４０を長軸方向軸Ｘに向かって作動することにより、アーム３６は、取り付け点の周りに回動させ、各フック３８をほぼその取り付け点の周りに回転させる。ラッチアダプター３４がシュラウド２８に取り付けられるとき、フック３８は、シュラウド２８中に形成された凹部４１と取り外し可能な係合にある。
【００３８】
ラッチアダプター２４の遠位端は、複数のタブ４を含み、そして図１で最も良く観察されるように、ラッチアダプター３４を端部キャップ３０の内壁４４に固定する形態にある。端部キャップ３０の内壁４４ａは、切開器具チューブ１８の近位端を取り囲み、かつそれに固定される。ラッチアダプター３４を通る中央開口が、例えば、閉塞具または内視鏡のうな異なる器具を受容するために提供され、これは、端部キャップ３０、ラッチアダプター３４、シュラウド２８、およびバルーン先端部切開器具アセンブリ１０内のこれらデバイスの位置を通って受容され得る。特定の好ましい実施形態では、上記中央開口は、約５〜約１０ミリメートルの間の直径をほぼ有するデバイスをスライド可能に受容するための寸法であり得るが、より小さいか、またはより大きなサイズを収容するための実施形態が企図される。
【００３９】
上記アダプターアセンブリ２４は、１つ以上のパーツを備え得る。その他の実施形態では、上記端部キャップ３０、ラッチアダプター３４、およびシュラウド２８のいずれかは単一のパーツに組み合わせられる。好ましくは、シュラウド２８は、外科医による使用のために人間工学的に設計され、そしてこのバルーン切開器具に流線型の外観を与えるような形態である。好ましい実施形態では、上記端部キャップ３０、ラッチアダプター３４およびシュラウド２８は、上記切開器具チューブ１８の近位端に取り付けられる１つの一体パーツに組み合わせられる。
【００４０】
アダプターオリフィス４６および連結ポート４８が、端部キャップ３０上に位置決めされる。必要に応じて、アダプターオリフィス４６は実質的に円形であり、端部キャップ３０上中央に位置し、そしてそれを通ってデバイスを受容するような形態である。直径減少デハイス（図示せず）が同様に含められ得、所定のサイズより小さい直径を有するデバイスを収容する。この減少デバイスは、異なるサイズの管状外科用デバイスを係合し、かつアダプターオリフィス４６を通って挿入される外科用デバイスのために所定の安定性を提供するために、アダプターオリフィス４６の上で端部キャップ３０に取り付けられ得る。あるいはまたはさらに、この端部キャップ３０は、望ましくは、上記閉塞具または内視鏡が上記膨張チューブ中かつ上記端部キャップ３０を通って受容されるとき、上記切開バルーン内の流体圧力を維持するためのシールを含む。上記連結ポート４８は、バルブ５０が連結ポート４８と流体連通にあるようなシール様式でバルブ５０を受容するための寸法である。
【００４１】
切開器具膨張バルブ５０は、好ましくは、外科的手順の間に容易に接近可能である端部キャップ３０の表面上に位置する。切開器具膨張バルブ５０が端部キャップ３０に取り付けられるとき、バルブポート５２は整列され、そして切開器具チューブ１８中の膨張ポート２２と流体連通しており、そしてそれ故、切開バルーン１４と流体連通している。切開器具膨張バルブ５０はまた、切開器具膨張バルブ５０に回転可能に取り付けられているバルブハンドル５４を含み、ここで、内部バルブポート（図示せず）は、バルブポート５２と膨張ボート２２との間の流体流れを許容するような形態である。
【００４２】
好ましい実施形態では、切開器具膨張バルブ５０は、切開バルーン１４を膨張または収縮するためのストップコックを備えた一方向チェックバルブである。使用において、膨張圧力がバルブポート５２に付与されて、これは、さらに、切開器具チューブ１８の周縁管腔を通じて連通し、切開バルーン１４を拡張させる。切開器具膨張バルブ５０の内部にあるチェックバルブを有することは、切開器具膨張バルブ５０を通る膨張圧力の損失を最小にし、それによって切開バルーン１４がその形状および膨張圧力を維持することを可能にする。有利には、切開器具膨張バルブ５０は、この膨張圧力を解放するためのストップコックを含む。ストップコックに切開器具膨張バルブ５０を含めることは、手術作業者が切開バルーン１４の膨張および収縮に対するより良好な制御を有することを可能にする。なぜなら、それは切開器具膨張バルブ５０に一体化され、そしてバルブ５０は、手術作業者に容易に接近可能であるからである。その他の実施形態では、別個の収縮デバイスが提供され得る。
【００４３】
本開示によれば、閉塞具アセンブリ２６は、一般に、形状がほぼ円錐形であり、そして閉塞具本体６４の遠位端に形成される先端部６６を有する閉塞具本体６４を含む。閉塞具本体６４の近位端に位置するのは閉塞具フランジ６８である。閉塞具キャップ７０は、閉塞具フランジ６８に固定される。好ましくは、閉塞具キャップ７０は、手術作業者による心地よい使用のために人間工学的な形状である。特定の好ましい実施形態では、この閉塞具は、細長い本体、および望ましくは手術作業者による使用のために人間工学的な形状とされた近位端を備える。
【００４４】
使用の前に上記バルーン切開器具アセンブリ１０をアセンブルするために、閉塞具アセンブリ２６の先端部６６は、アダプターオリフィス４６を通って挿入され、そして閉塞具アセンブリ２６は、長軸方向軸Ｘに沿って遠位方向に進行される。閉塞具フランジ６８の下側が端部キャップ３０に接するとき、閉塞具アセンブリ２６の最大の長軸方向移動が達成される。この閉塞具本体６４は、閉塞具本体６４の外面および切開器具チューブ１８の内面が、バルブポート５２と切開バルーン１４との間に膨張管腔２３を形成するようなサイズである。
【００４５】
切開バルーン１４を膨張するために、膨張圧力の供給源がバルブポート５２に取り外し可能に取り付けられる。バルブハンドル５４は、切開器具膨張バルブ５０を通る流体流れのために内部バルブポートを整列するようにに回転される。加圧された流体がバルブポート５２を通って導入され、そして切開器具膨張バルブ５０、膨張ポート２２、および膨張管腔２３を通じて切開バルーン１４まで連通される。別の代替では、上記切開器具チューブ１８は、上記バルブ５０の遠位方向で、かつポート４８と接続する位置で終わり、そして、この膨張ポート２２はない。好ましい膨張流体の例はＣＯ２、生理食塩水溶液、またはその他の生体適合性流体を含む。この加圧された流体は、切開バルーン１４を拡張させる。好ましい実施形態では、切開バルーン１４は、適切な生体適合性材料から製造される。例えば、このバルーンは、約２ミル、または０．００２インチの厚みを有するシートを備え得る。
【００４６】
単独型デバイスとしてのバルーン切開器具アセンブリ１０のための使用の方法が開示される。あるいは、バルーン切開器具アセンブリ１０は、本明細書中以下で説明されるような様式で、接近ポートまたはカニューレとともに用いられ得る。バルーン切開器具アセンブリ１０は、図１でアセンブルされた状態で示される。代表的には、適切なサイズの切開部が患者の皮膚中に作製される。次に、もこのアセンブルされたバルーン切開器具アセンブリ１０は、バルーン切開器具１２内に位置決めされた閉塞具２６を用いてこの切開部中に挿入され、切開部の点を超えて、上記閉塞具本体６４上に支持された切開バルーン１４とともにトンネル通過する。バルーン切開器具アセンブリ１０が挿入されるとき、切開バルーン１４は、スリーブカバー６０によって拘束され、そして切開器具チューブ１８の遠位端を超えて延びる閉塞具本体６４の遠位領域をほぼ取り囲む。好ましくは、切開バルーン１４は、トンネル通過プロセスの間に切開バルーン１４への損傷は最小にするが、また最小の表面抵抗を有するに十分な強度を有する材料から形成され、それによって、切開バルーン１４の上記切開部および周囲の軟組織中への容易な侵入を許容する。
【００４７】
膨張圧力は、適切な外部供給源からバルブポート５２を通じて付与され、そして切開器具膨張バルブ５０を通って切開バルーン１４に連通される。圧力が付与されるとき、切開バルーン１４は拡張し、そして上記穿孔されたスリーブカバー６０を、穿孔２１に沿って分離させるか、または上記スリーブカバー６０材料中の弱い部分を破壊させ、切開バルーン１４を解放する。切開バルーン１４は側方に解かれるか、折り畳みを解かれ、そして垂直方向に所定の形状およびサイズに拡張する。切開バルーンの垂直拡張は、周辺組織を自然の組織平面に沿って切開する。一旦、所望の空間が生成されると、切開バルーン１４は、バルブ５０上のストップコックを作動することにより収縮され、切開バルーン１４内側の圧力を解放する。あいるは、閉塞具アセンブリ２６の除去は、この膨張圧力が、アダプターオリフィス４６での開口を通じて軽減されることを可能にする。
【００４８】
閉塞具アセンブリ２６の除去の後、その他の適切な形態の外科用器具またはデバイスが、切開器具チューブ１８中に挿入され得る。１つのこのような例は、切開された空間を見るための内視鏡であり、ここで、この切開バルーン１４の少なくとも一部分は、この切開された空間を見るために実質的に透明である。代替の実施形態では、上記閉塞具アセンブリ２６は、バルーン切開器具アセンブリ１０が身体中に導入される前または後のいずれかで除去され得、そして上記内視鏡が、この切開バルーンの膨張前に上記切開器具チューブ１８中に挿入され得る。望ましくは、このバルーン切開器具アセンブリ１０は、切開の後に除去され、そして切開された空間は、当該分野で公知のようにガス注入される。
【００４９】
ここで図３および４を参照して、種々の外科用器具と、または本明細書で以下により詳細に記載のようなバルーン切開器具アセンブリ１０と組合わせた使用のための接近ポートとしての使用のためのバルーン先端部カニューレアセンブリ８０が開示される。バルーン先端部カニューレアセンブリ８０は、一般に、シールアセンブリ８４を有するバルーン先端部カニューレ８２および閉塞具８６を含む。
【００５０】
バルーン先端部カニューレ８２は、それを通る外科用器具の受容のための接近管腔９０を規定するその近位端および遠位端で開放されている細長いチューブ８８を備える。近位管腔ポート９２および遠位管腔ポート９４が、カニューレ８８の外面上に配置される。管８８の内面と外面との間に規定されて、長軸方向軸Ｘに沿って延び、そして近位および遠位管腔ポート９２、９４と連通する膨張管腔９６がある。膨張可能なバルーン係留具９８が、チューブ８８の遠位領域中に配置される。好ましい実施形態では、バルーン係留具９８は、ほぼドーナッツ形の形状を有し、チューブ８８に沿って位置し、そして実質的に流体密でシールする様式で遠位管腔ポート９４を取り囲む。なお、さらに、バルーン係留具９８は、所定のサイズおよび形状に拡張可能である。
【００５１】
しばらくの間、図４Ａ〜４Ｃを参照して、膨張可能なバルーン係留具９８は、新規な様式で細長いチューブ８８の遠位端に固定される。膨張可能なバルーン係留具９８を受容するよう細長いチューブ８８を調製するために、細長いチューブ８８の選択的領域１５０が、膨張可能なバルーン係留具９８への接着のために十分な特徴を有する適切な材料中に浸漬される。好ましくは、選択的領域１５０は、ウレタン材料中に浸漬され、選択的領域１５０上にウレタンコーティング１５２を生じる。膨張可能なバルーン係留具９８を細長いチューブ８８に取り付けるために、膨張可能なバルーン係留具９８は、最初、選択的領域１５０の上に、そして遠位管腔ポート９４の周りに位置決めされる。図４Ｃに最も良く示されるように、膨張可能なバルーン係留具９８の対向する端部１５４および１５６は、熱溶接手順に処理されて、対向する端部１５４および１５６を細長いチューブ８８の遠位端上のコーティング１５２に熱溶接する。このようにして、膨張可能なバルーン係留具９８は、細長いチューブ８８の選択的領域１５０に堅く固定される。
【００５２】
図４Ｄを参照して、好ましい実施形態では、膨張可能なバルーン係留具９８の周りに配置されるような形態であるシリコーンスリーブ１５８が提供される。シリコーンスリーブ１５８は、シリコーンスリーブ１５８の対向する端部１６４および１６６の周りに配置される一対のリング１６０および１６２により膨張可能なバルーン係留具９８の周りに固定される。好ましくは、リング１６０および１６２は、熱収縮性材料から形成され、その結果、シリコーンスリーブ１５８が、膨張可能なバルーン係留具９８の上に配置され、そして熱収縮リング１６０および１６２がシリコーンスリーブ１５８の対向する端部１６４および１６６の周りに配置されるとき、リング１６０および１６２は、熱処理に供され得、これは、リング１６０および１６２を収縮し、それによって、シリコーンスリーブ１５８を、膨張可能なバルーン係留具９８の上に固定する。このリング１６０および１６２は、上記バルーン係留具９８をその近位端および遠位端で強化するために供される。このスリーブ１５８は、任意の弾性の生体適合性材料のスリーブを包含し得る。さらに、その他の方法を用いて、このバルーン係留具９８を上記チューブ８８の上に取り付け得、これは、例えば、このバルーン係留具９８を上記チューブ８８に接着することによる。さらなる代替では、このバルーン係留具９８は、上記バルーンに縫合糸で結ばれ得、そしてＲＴＶで被覆され得る。
【００５３】
図４を参照すると、好ましい実施形態において、バルーン先端部カニューレ８２は、チューブ８８の外側にスライド可能に取り付けられた皮膚シール１００をさらに備える。皮膚シール１００は、望ましくは、発泡体カラー１０２および固定手段１０４を備え、この固定手段は、皮膚を、長手方向軸ｘに沿った所望の長手方向位置に固定するためのものである。適切な皮膚シールは、国際公開番号ＷＯ０２／０９６３０７（発明の名称「Ｂａｌｌｏｏｎ  Ｃａｎｎｕｌａ  ｗｉｔｈ  Ｏｖｅｒ  Ｃｅｎｔｅｒ  Ｃｌａｍｐ」、この全開示は、本明細書中に参考として援用される）に開示されている。バルーン先端部カニューレ８２が患者の皮膚における切開部を通して挿入される場合、皮膚シール１００は、患者の身体の、圧力障壁を形成している皮膚表面に対する位置に移動され、これによって、この患者の皮膚における開口部を通しての膨張圧の損失を最小にし、そして別のバルーン９８と組み合わせて、バルーン先端部カニューレ８２を患者の身体に固定する。
【００５４】
バルーン先端部カニューレ８２は、アダプタフランジ１０６をさらに備え、このアダプタフランジは、間にボアを規定する、近位開口部および遠位開口部を有する。アダプタフランジ１０６の１つの表面上に、バルブポート１０８が、実質的に流体密封様式でバルブ１１０を受容するような寸法にされている。アダプタフランジ１０６の遠位端は、実質的に流体密の密封様式で、カニューレチューブ８８の近位端を受容し、そしてこの近位端に固定されるような寸法にされる。カニューレチューブ８８の近位端が、アダプタフランジ１０６の遠位端に完全に挿入される場合、バルブポート１０８は、近位管腔ポート９２と整列し、これによって、バルブ１１０と整列する。アダプタフランジ１０６の近位端の近くに、１対の凹部１１２が配置され、これらの凹部の各々は、ほぼ矩形の構成を有し、そして好ましくは、互いに正反対に対向する。凹部１１２は、本明細書中以下に記載されるような栓子１２８に関連するラッチ構造体を受容するように構成される。あるいは、本明細書中以下に記載されるようなバルーン切開器具１２と組み合わせて使用される場合、凹部１１２は、アダプタ３４にラッチをかけるための取り付け点を提供する。他の実施形態において、バルーン切開器具アセンブリ１０とバルーン先端部カニューレアセンブリ８０との間に、ラッチ構造体が使用されない。
【００５５】
バルーン先端部カニューレ８０は、好ましくは、アンカー９８を膨張および収縮させるための元栓を有する、一方向逆止めバルブを使用する。アンカー膨張バルブ１１０は、好ましくは、外科手術手順の間に容易に接近可能な、アダプタフランジ１０６の表面上に位置する。アンカー膨張バルブ１１０がアダプタフランジ１０６に取り付けられる場合、バルブポート１１４は、近位管腔ポート９２と整列し、そしてこのポートと流体連絡し、従って、バルーン係留具９８と流体連絡する。アンカー膨張バルブ１１０はまた、アンカー膨張バルブ１１０に回転可能に取り付けられたバルブハンドル１１６を備え、ここで、内部バルブポート（図示せず）は、バルブポート１１４と近位管腔ポート９２との間での流体の流れを可能にするように構成される。他の実施形態において、別の収縮デバイスが提供され得る。
【００５６】
バルーン係留具９８を膨張させる目的で、膨張圧の供給源が、バルブポート１１４に解放可能に取り付けられる。バルブハンドル１１６は、アンカー膨張バルブ１１０を通っての流体の流れのために、内部バルブポートと整列するように回転する。加圧された流体は、バルブポート１１４を通して導入され、そしてアンカー膨張バルブ１１０、近位管腔ポート９２、および膨張管腔９６を通って、バルーン係留具９８と連絡する。好ましい膨張流体の例としては、ＣＯ２、生理食塩水、または他の生体適合性流体が挙げられる。この加圧された流体は、バルーン係留具９８を拡張させる。好ましい実施形態において、アンカー膨張バルブ１１０は、元栓を有する一方向逆止めバルブである。逆止めバルブをアンカー膨張バルブ１１０の内部に有することによって、アンカー膨張バルブ１１０を通る膨張圧の損失が最小にされ、これによって、バルーン係留具９８が、その形状および膨張圧を維持することを可能にする。有利には、アンカー膨張バルブ１１０は、膨張圧を解放するための元栓を備える。アンカー膨張バルブ１１０に元栓を含めることによって、外科手術人員は、バルーン係留具９８の膨張および収縮に対する、より良い制御を有することが可能になる。なぜなら、この元栓は、この外科手術人員に容易に接近可能なアンカー膨張バルブ１１０上に設置されるからである。しかし、別個の膨張デバイスおよび収縮デバイスが、バルーン先端部カニューレ上に提供され得る。
【００５７】
吹き込みポート１２０が、アダプタフランジ１０６上に提供され、そしてアダプタフランジ１０６の内部およびチューブ８８の内部と流体連絡して、吹き込み流体を、患者の身体の内部に提供する。
【００５８】
シールアセンブリ８４は、一般に、ダックビルシール１２２を備え、このダックビルシールは、アダプタフランジ１０６の内部表面によって受容されるように構成および適合されており、ここで、ダックビルシール１２２の外側表面およびアダプタフランジ１０６の内側表面は、実質的に流体密の密封様式で嵌合する。ダックビルシール１２２は、従来の様式で機能して、バルーン先端部カニューレを、このバルーン先端部カニューレに挿入された器具の非存在下でシールし、そして吹き込み流体の漏洩に対するシールを提供する。ダックビルシール１２２は、図３において、栓子８６が適所にある状態で閉じて示されるが、ダックビルシール１２２は、このシールを通る器具の非存在下でのみ閉じることが、理解されるべきである。開口部が、アダプタリング１２４を受容するために、ダックビルシール１２２の近位端に位置する。アダプタリング１２４は、ダックビルシール１２２とぴったり係合するための大きさにされ、そして外科用デバイス（例えば、栓子）を受容するための寸法にされた実質的に中心のオリフィスを備え、そしてこのような外科用デバイスの周りにシールを提供する。なおさらに、アダプタリング１２４は、保持リング１２６によって、ダックビルシール１２２の近位領域内で適所に維持される。この保持リングは、アダプタリング１２４の開口部と実質的に等しい中心開口部を有する。本明細書中で上で記載されるような、バルーン切開器具１２に対する径違いデバイスが、同様に備えられて、種々の直径の器具を収容し得る。この径違いデバイスは、異なるサイズの管状外科用デバイスにスライド可能に係合するため、および保持リング１２６を通して挿入される外科用デバイスに対するある程度の安定性を提供するために、保持リング１２６に取り付けられる。ダックビルシール１２２およびリング１２４が、この実施形態において示されているが、他の実施形態は、異なる構成を有するシールを備える。望ましくは、バルーン先端部カニューレアセンブリ８０は、そのアセンブリによって受容され得る器具の非存在下でチューブ８８の内部をシールするためのシールと、一旦このアセンブリに挿入されると、器具に対してシールするためのシールとの両方を備える。
【００５９】
バルーン先端部カニューレアセンブリ８０は、患者の身体における切開部を通してのバルーン先端部カニューレの挿入を容易にするための、栓子８６をさらに備える。栓子８６は、一般に、栓子本体１２８、栓子本体１２８に固定されたキャップ１３０、およびキャップ１３０に固定されて栓子本体１２８を囲むラッチアダプタ１３２を備える。さらなる実施形態において、ラッチアダプタ１３２は、排除され、そしてラッチは、キャップ１３０に組み込まれる。栓子本体１２８は、一般に細長く、かつ円筒形であり、そして丸い栓子先端部１３４が、栓子本体１２８の遠位端に位置している。栓子本体１２８は、その近位端に配置された栓子アダプタ１３６を備える。
【００６０】
ラッチアダプタ１３２は、バルーン切開器具１２のラッチアダプタに関して上に記載されたものと類似の様式で、キャップ１３０に取り付けられる。栓子アダプタ１３６は、キャップ１３０の内側表面に固定される。ラッチアダプタ１３２は、貫通ボアを有する、ほぼ円形の構成である。複数の弾性タブ１３８が、遠位端に位置し、各タブ１３８は、スロットによって、各他のタブから分離されている。さらに、各タブ１３８は、ラッチアダプタ３４とエンドキャップ３０とに関して上で議論されたものと類似の様式で、キャップ１３０と係合するために、この貫通ボアの中心の方へと付勢されている。ラッチアダプタ１３２の近位端の近くに、１対の正反対に対向するアーム１４０が位置する。各アーム１４０は、ラッチアダプタ１３２に旋回可能に取り付けられており、このアダプタ上で、各アーム１４０が長手方向軸ｘに対して実質的に垂直な旋回点の周りで回転する。好ましくは、各アーム１４０は、開始位置に付勢されており、他のアームから離れて回転可能であり、そしてその遠位端において、フック１４２を備え、ここで、各フック１４２は、アダプタフランジ１０６の凹部１１２と解放可能に嵌合するように構成される。
【００６１】
栓子８６が、保持リング１２６、アダプタリング１２４、ダックビルシール１２２、およびチューブ８８に挿入され、そしてこれらの保持リング１２６、アダプタリング１２４、ダックビルシール１２２、およびチューブ８８を通して長手方向軸に沿って進められる場合、ラッチアダプタ１３２は、遠位に進められ、そしてフック１４６は、凹部１２２に接近し、そしてこの凹部と係合する。好ましくは、アーム１４０は、ラッチ位置の方へと付勢され、そして内部にたわみ、次いで、凹部１１２とスナップして係合する。操作者は、レバー１４４をほぼ外向きの方向に移動させることによって、アーム１４０を回転させ得、これによって、フック１４２を、ほぼ内向きに回転させる。栓子８６がバルーン先端部カニューレ８２に完全に挿入された後に、操作者は、レバー１４４を解放し、これによって、アーム１４０を、その開始位置に戻す。この開始位置において、フック１４２は、凹部１１２と係合して、ラッチアダプタ１３２および栓子８６を適所に保持する。さらに、組み立てられた構造体が完全に挿入される場合、栓子先端部１３４は、チューブ８８の遠位端を越えて延びる。
【００６２】
キャップ１３０は、アーム１４０をスライド可能に受容するように構成および適合された、１対の溝１４６を備える。キャップ１３０は、人間工学的な効率のために構成され、これによって、操作者が、最小の努力または不快感でキャップ１５０を使用し得ることが好ましい。
【００６３】
特定の好ましい実施形態において、キャップ１３０、ラッチアダプタ１３２および栓子本体１２８は、ユニタリ構造体として組み合わせられ得る。栓子本体１２８は、アダプタフランジ１０６とのラッチ係合なしで、近位端を備え得る。
【００６４】
バルーン先端部カニューレアセンブリ８０を使用する方法が、開示される。切開部が、患者の皮膚において、目的の領域で作製される。組み立てられたバルーン先端部カニューレアセンブリ８０を使用して、外科医は、栓子先端部１３４およびバルーン先端部カニューレアセンブリ８０の遠位端を、この切開部内に進め、これによって、バルーン先端部カニューレアセンブリ８０を、目的の領域内へと位置決めする。
【００６５】
一旦、バルーン先端部カニューレアセンブリ８０が位置決めされると、膨張流体が、バルブポート１１４およびバルブポート１０８を通して適用され、これによって、膨張圧を、近位管腔ポート９２に連絡する。近位管腔ポート９２および遠位管腔ポート９４は、膨張管腔９６を通して互いに直接流体連通するので、膨張流体は、遠位管腔ポート９４、および従って、バルーン係留具９８へと移動される。膨張流体がバルーン係留具９８に適用されるにつれて、このバルーン係留具は、膨張して、その予め決定された形状に達する。係留バルーン９８が膨張した後に、このバルーンは、患者の皮膚の下側に当接して、バルーン先端部カニューレアセンブリ８０を適所に保持する。好ましくは、バルーン係留具９８は、バルーン先端部カニューレアセンブリ８０を係留するための形状（例えば、示されるような、所望の位置にカニューレ８０を保持するために十分な大きさの円環形状）を有する。バルーン係留具は、任意の他の形状を有し得ることが、考慮される。
【００６６】
バルーン先端部カニューレアセンブリ８０が切開部を通して配置され、そしてバルーン係留具９８が拡張された後に、皮膚シール１００が、患者の身体の外側表面と当接関係になるまで、カニューレチューブ８８に沿って、遠位に進められ、その結果、発泡体カラー１０２が圧縮され、そして皮膚シール１００を固定するための手段１０４が作動されて、皮膚シールをカニューレチューブ８８に対してロックする。
【００６７】
一旦、バルーン先端部カニューレアセンブリ８０が適所に係留されると、レバー１４４が外向きに回転されて、アーム１４０を内向きに回転させ、これによって、ブロック１４２を凹部１１２から脱係合する。フック１４２が凹部１１２から脱係合された後に、栓子８６は、バルーン先端部カニューレ８２から引き抜かれ、一方で、外科医は、バルーン先端部カニューレ８２を適所に保持し、これによって、これらの構成要素を分離する。栓子８６が完全に除去された後に、他の外科用構造体が、バルーン先端部カニューレ８２に挿入されて、外科手術部位に接近し得る。このような外科用器具の例としては、内視鏡、把持具、鋏、外科用縫合デバイス、および外科用デバイスアプリケータが挙げられるが、これらに限定されない。
【００６８】
外科手術手順の完了の際に、外科医は、バルブ１１０を作動させることによって、係留バルーン９８を収縮させる。係留バルーン９８によって保持される膨張圧は、膨張のための流路を反転させることによって、バルブポート１１４を通って、このシステムから出る。一旦、係留バルーン９８が十分に収縮されると、バルーン先端部カニューレ９２は、外科手術部位から除去される。係留バルーン９８を覆うシリコーンスリーブは、このバルーンに対して弾性的に圧力を付与し、バルブが開く際に、バルーンを収縮させる傾向がある。除去後、切開部が縫合により閉じられ得るか、または外科用構造体が、さらなる外科手術手順のために、この切開部位において使用され得る。
【００６９】
ここで図５および図６を参照すると、上記のように、バルーン切開器具アセンブリ１０およびバルーン先端部カニューレ８０は、本明細書中で上に記載されたような様式で、個々の器具として別個に使用され得るか、または好ましくは、そしてより有利には、一緒に組み合わせられて、バルーン先端部カニューレと組み合わせられたバルーン切開器具２００を形成し得る。このことは、外科医が、解剖学的空間を身体内に作製する場合の、手術工程を排除する。バルーン先端部カニューレを備えるバルーン切開器具２０は、上記バルーン切開器具および上記バルーン先端部カニューレの構成要素を備える。これらの器具の各々は、単一の器具に容易に組み合わせられるように設計される。
【００７０】
ここで図５および図６を参照すると、組み合わせられたアセンブリ２００は、バルーン先端部カニューレ８２の保持リング１２６およびダックビルバルブ１２２に通して挿入された、バルーン切開器具１２および栓子アセンブリ２６を有し、その結果、切開バルーン１４および切開器具チューブ１８は、バルーン先端部カニューレ８２のカニューレチューブ８８を通して進められる。バルーン切開器具１２は、望ましくは、ラッチアダプタ３４を有し、このラッチアダプタは、バルーン先端部カニューレ８２のアダプタ本体１０６内の凹部１１２に係合して、バルーン切開器具１２をバルーン先端部カニューレ８２にしっかりとロックする。しかし、他の実施形態において、接続構造体は提供されない。一旦、組み立てられると、組み合わせられたバルーン先端部カニューレを有するバルーン切開器具２００は、患者の身体内の体腔内の解剖学的空間を作製して、外科用器具の受容のための固定されたアクセスポートを提供するために使用する準備ができる。
【００７１】
使用の際に、最初の切開部は、患者の身体の腹腔壁を通して作製される。組み合わせられたバルーン先端部カニューレを有するバルーン切開器具２００は、栓子アセンブリ２６によって支持される切開バルーン１４が、この切開部を通して挿入されるように位置決めされる。この組み合わせられたデバイスは、切開バルーン１４が所望の位置にくるまで、この切開部を通して進められる。この時点で、栓子アセンブリ２６が除去され得、そして内視鏡が、その中に挿入され得る。
【００７２】
一旦、適切な位置にくると、膨張流体の供給源が、切開器具膨張バルブ５０のバルブポート５２に接続され、そして膨張流体が、接続ポート４８および管腔２３へと強制的に通される。この管腔２３は、チューブ１８の内側表面および栓子２６の外側表面によって、規定される。膨張圧は、切開器具バルーン１４に強制的に膨張を開始させ、この膨張は、スリーブカバー６０（図２）の穿孔２１を強制的に分離させこれによって、バルーンを解放する。上記のように、このバルーンは、代表的に、巻き上げられた構成であり、そしてこのバルーンが広がるにつれて、このバルーンの巻きまたは折り畳みが横方向に解け、そしてこのバルーンの面に対して垂直に拡張して、組織の層を、天然の組織面に沿って分離し、外科手術手順のための解剖学的空間を形成する。
【００７３】
一旦その組織が切開（ｄｉｓｓｅｃｔ）され、その解剖学的空間が形成されると、切開バルーン（ｄｉｓｓｅｃｔｉｏｎ  ｂａｌｌｏｏｎ）１４は、切開器具膨張バルブ（ｄｉｓｓｅｃｔｏｒ  ｉｎｆｌａｔｉｏｎ  ｖａｌｖｅ）５０を開いて、膨張圧を解放することによって、または栓子アセンブリ２６を外し、それによって、アダプタオリフィス４６を膨張管腔２３（これは、栓子２６と切開器具チューブ１８の内側表面との間に規定される）の方向に開くことによって、収縮されうる。一旦バルーン１４が収縮されると、そのバルーン切開器具アセンブリ１０は、レバー４０を押し下げ、それによりラッチアダプタ３４上のフック３８を、アダプタ本体１０６における凹部１１２から解放することによって、バルーン先端部カニューレ８２から分離される。そのバルーン先端部カニューレ８２は、バルーン切開器具アセンブリ１０のチューブ１８の下に滑動し、そのバルーン先端部カニューレ８２は、切開部を通って進められ、バルーン係留具９８を腹腔壁内に配置される。膨張流体の供給源は、バルブ１１０に接続されて、バルーン係留具９８を膨張させる。一旦、バルーン係留具９８が膨張すると、ユーザーは、その合わされたデバイスに対して、腹腔壁の内側表面に対してアンカーまたはバルーンを引っ張るように、わずかに近位方向の張力を適用する。その皮膚シール１００（図４）は、カニューレチューブ８８に沿って遠位方向に滑動して、腹部の外側表面に対して発泡体１０２を圧迫し、皮膚シール１００の固定手段１０４を作動する際に、カニューレ８２は、腹腔壁に固定してロックされ、吹き込み流体の逃げに対して切開部をシールする。
【００７４】
そのバルーン切開器具アセンブリ１０は、次いで、バルーン先端部カニューレ８２から取り外される。一旦、バルーン切開器具が取り出されると、ダックビルバルブ１２２は、閉鎖した位置に存在して、バルーン先端部カニューレ８２の近位端にシールを形成する。その後、吹き込み流体の供給源は、吹き込みポート１２０に接続され、流体をバルーン先端部カニューレ８２を通って、身体へと押し込んで、その空間に吹き込みかつその空間を拡大する。一旦空間が吹き込み流体により作られると、さらなる器具（内視鏡、把持具、仮縫い機（ｔａｃｋｅｒ）、ステープラーなど）は、バルーン先端部カニューレを通して挿入されて、患者の身体内で手術（例えば、ヘルニア回復手順）を行い得る。
【００７５】
代替的実施形態において、栓子アセンブリ２６は、そのバルーン切開器具アセンブリ１０が、身体に導入される前またはその後のいずれかに取り出され得、その切開バルーンの膨張の前またはその後に、内視鏡が切開器具チューブ１８に挿入されうる。
【００７６】
一旦手順が完了すると、吹き込み流体は、吹き込みポート１２０を通って身体から引き出され、アンカー膨張バルブ１１０が開かれて、その膨張流体を係留バルーン９８から出すようにする。その係留バルーン９８のシリコーンスリーブは、係留バルーン９８を収縮する傾向がある圧力を提供する。バルーン先端部カニューレ８２は、次いで、切開部を通して取り出され、その切開部は、通常の様式で閉じられる。
【００７７】
先行技術の切開方法は、一般に、第１のデバイス（代表的には、ある型の切開器具）を手術部位における切開部を通して患者に挿入し、その差異に、その外科手術人員は、分離した組織を切開する工程を包含する。次いで、第２のデバイス（代表的には、トロカールカニューレ）が使用して吹き込み、作業空間を維持する。
【００７８】
バルーン先端部カニューレ８２およびバルーン切開器具１２を含む組み合わせデバイスを使用すると、切開および吹き込みに要されるその過程の工程の回数が最小になる。さらに、そのバルーン先端部カニューレ８２は、バルーン先端部カニューレ８２を固定し、切開部をシールするための、皮膚シールおよびバルーン係留具を備える。切開バルーン１４およびバルーン係留具９８を膨張するためのポートが設けられる。そのバルーン係留具９８は、スリーブ１５８がバルーン９８を収縮に向かって付勢するにつれて、容易に収縮される。別個の収縮機構は必要とされないが、設けられてもよい。その組み合わせられたデバイス２００は、切開が観察されうるように、内視鏡を受容するための経路を備える。
【００７９】
図７および８を参照すると、バルーン切開器具およびカニューレアセンブリ２１０の代替的実施形態が示され、バルーン切開器具アセンブリ２１２およびバルーン先端部カニューレアセンブリ２１３を有する。バルーン切開器具アセンブリ２１２は、遠位端および近位端を有し、経路２２０を規定する細長チューブ２１８を有する。切開バルーン２１４ａは、そのチューブ２１８の遠位端に固定される。切開バルーン２１４ａは、経路２２０と連通するチャンバを形成する。切開バルーン２１４ａは丸く、組織における最小の抵抗性の経路をたどる形状に拡大する。その切開バルーン２１４ａは、他の形状（例えば、矩形、腎臓様形状など）を有していてもよい。
【００８０】
図８および９を参照すると、切開器具ハウジング２３０は、チューブ２１８の近位端に形成される。その切開器具ハウジング２３０は、近位端にオリフィスを有し、シールを備える。切開器具ハウジング２３０は、そのシールを支持する２つの部品で形成されうる。切開器具ハウジング２３０は、一方向膨張バルブを受容するための寸法にされた膨張ポート２２２を規定する。その膨張バルブおよび膨張ポート２２２は、チューブ２１８を通って切開バルーン２１４ａと連通する。
【００８１】
遠位先端部２６６を有する栓子２２６は、その切開器具ハウジング２３０におけるオリフィスを通って、チューブ２１８における経路２２０を通って、そして切開バルーン２１４ａのチャンバへと受容される。栓子２２６の外側表面およびチューブ２１８の内側表面は、膨張ポート２２２と切開バルーン２１４ａとの間に膨張管腔を形成する。栓子２２６の近位端は、ボタン２３３に接続された弾性のラッチ２３１を有するキャップ２２９を有する。栓子２２６が、切開器具ハウジング２３０に受容され、チューブ２１８に進められる場合、遠位先端部２６６は、切開バルーン２１４ａと係合し、折りたたまれた細長い形状（示さず）にその切開バルーン２１４ａを支持する。そのラッチは、切開器具ハウジング２３０の凹部と係合する。さらなるラッチ２３２（これは、ボタン２３４に接続される）は、切開器具ハウジング２３０を、バルーン先端部カニューレアセンブリ２１３のカニューレハウジング３０６に相互連結するために、切開器具ハウジング２３０に設けられる。
【００８２】
切開バルーン２１４ａを膨張させるために、膨張圧の供給源が、膨張ポート２２２に解放可能に取り付けられ、加圧流体が膨張ポート２２２を通って導入され、膨張チューブ２１８を通って切開バルーン２１４ａへと連通される。
【００８３】
図８および１０を参照すると、バルーン先端部カニューレアセンブリ２１３は、カニューレ３００を有し、このカニューレ３００は、その近位端および遠位端において開いて、外科用器具を接近管腔３０２を通して受容するために、接近管腔３０２を規定する。膨張可能なバルーン係留具３０４（これは、概して円環状形状を有する）は、カニューレ３００の遠位領域に配置される。前の実施形態と同様に、そのバルーン係留具３０４は、その
カニューレをウレタンコーティングに浸漬し、次いで、熱溶接を用いて、ウレタン膜をそのコーティングされたカニューレに取り付けることによって形成される。その膜は、次いで、ＲＴＶでコーティングされ、熱収縮チューブカラーは、その溶接された端部においてスリーブを強化する。あるいは、そのバルーン係留具３０４は、図４Ａ〜４Ｄと関連して、上記で議論されるように取り付けられ得る。
【００８４】
カニューレハウジング３０６は、カニューレ３００の近位端においてカニューレ３００に取り付けられる。カニューレハウジング３０６は、接近管腔３０２と連通するオリフィスを有する。バルブポート３０８は、カニューレハウジング３０６の表面に設けられる。バルブポート３０８は、実質的に流体を隙間なくシールする様式でチェックバルブを受容するような寸法にされる。膨張管腔３１１は、カニューレ３００の内側表面とその外側表面との間に規定され、バルーン係留具３０４へと延びる。そのチェックバルブは、バルーン係留具３０４と、カニューレの壁における管腔を通って連通する。
【００８５】
バルーン係留具３０４を膨張させるために、膨張圧の供給源は、そのチェックバルブに解放可能に取り付けられ、加圧流体をバルブポート３０８を通ってバルーン係留具３０４へと導入し、バルーン係留具３０４を延ばす。
【００８６】
吹き込みポート３１４はまた、カニューレハウジング３０６に設けられ、カニューレハウジング３０６およびカニューレ３００の内部と流体連通状態にあり、患者の身体の内部に流体を吹き込むように設けられる。
【００８７】
シールアセンブリは、吹き込みの間にカニューレ３００の内部をシールするために、カニューレハウジング３０６に設けられる。そのシールアセンブリは、概して、カニューレ３００に挿入された丸い器具をシールするためのシールおよびカニューレ３００に挿入される器具が全くない場合にはカニューレ３００をシールするためのシールを備える。これらのシールは、図３に関連して上記で議論されるシールであり得る。
【００８８】
皮膚シール３１６は、カニューレ３００の外側表面に滑動可能に取り付けられる。皮膚シール３１６は、圧縮可能な発泡体カラー３１８およびその皮膚シールをそのカニューレに沿って望ましい長手軸方向の位置に固定するためのクランプ３２０を備える。その皮膚シール３１６は、図４と関連して上記で議論されるようなものであり得る。
【００８９】
図１０を参照すると、近位キャップ３２４および遠位端３２５を有する栓子３２３は、カニューレハウジング３０６のオリフィスに挿入され、カニューレ３００の管腔３０２を通して進められ、その結果、遠位端３２５は、カニューレ３００の遠位端から延びる。カニューレハウジング３０６は、ラッチ３２７を栓子３２３の近位キャップ３２４上に受容するための凹部３２９を有する。近位キャップ３２４はまた、そのラッチを脱係合するためのボタン３３１を有する。そのバルーン切開器具アセンブリ２１２とバルーン先端部カニューレアセンブリ２１３を組み立てるために、栓子３２３は、カニューレ３００から取り外される。バルーン切開器具アセンブリ２１２は、カニューレハウジング３０６のオリフィスに挿入され、カニューレ３００の管腔３０２を通して進められ、その結果、切開器具ハウジング２３０上のラッチ２３２は、カニューレハウジング３０６と係合され、これらのアセンブリを相互に接続する。
【００９０】
そのバルーン切開器具アセンブリ２１２は、一般的な腹腔鏡手術、血管手術、内視鏡手術、形成外科手術または再建手術において、天然の組織平面に沿って組織を切開するために使用される。適切なサイズの切開部が、患者の皮膚に作られる。次に、組み立てられたバルーン切開器具およびカニューレアセンブリ２１０が、栓子２２６を用いてその切開部へと挿入されて、その切開部の地点を超えて経路の中に入る。
【００９１】
膨張圧が、膨張ポート２２２を介して適切な外部供給源から供給され、切開バルーン２１４ａに連通される。圧力が付与されるにつれて、切開バルーン２１４ａは拡大する。切開バルーンの拡大は、天然の組織表面に沿って周りの組織を切開する。一旦望ましい空間が作られると、切開バルーン２１４ａは、栓子２２６を取り除くことによって収縮され、栓子は、膨張圧が切開器具ハウジング２３０におけるオリフィスを通して解放されるようにする。
【００９２】
代替的方法において、栓子２２６はチューブ２１８から取り出され、内視鏡と置き換えられる。次いで、バルーン切開器具アセンブリ２１２は、皮膚切開部に挿入され、切開器具バルーン２１４ａは、上記で議論されるように膨張される。その範囲は、切開された空間を見るため、および切開の間に見るために使用される。その内視鏡は、切開の前または後に、チューブ２１８に挿入されうる。
【００９３】
切開バルーン２１４ａが収縮した後に、カニューレハウジング３０６は、切開器具ハウジング２３０上のボタン２３４を押すことによって、切開器具ハウジング２３０からラッチが外される。カニューレ３００は、バルーン切開器具チューブ２１８に沿って進められ、切開部内部に配置され、その結果、バルーン係留具３０４は、身体腔の中に位置づけられる。膨張流体は、バルブポート３０８を通って供給され、それによって、カニューレ３００の遠位端においてバルーン係留具３０４に膨張流体を通し、バルーン係留具３０４を拡大させる。係留バルーン３０４が拡大された後、この係留バルーンは、その患者の腹腔壁の下側と係合される。
【００９４】
皮膚シール３１６は、その患者の腹腔壁の表面に対して所定の位置に動かされ、クランプを使用して固定される。皮膚シール３１６は、圧力バリアを形成し、それによって、係留バルーン３０４と組み合わせて、その患者の腹腔壁における開口部を介する膨張圧の喪失を最小にし、バルーン先端部カニューレ３００を患者の身体に固定する。
【００９５】
バルーン切開器具アセンブリ２１２は、カニューレ３００から取り外され、外科用器具は、カニューレ３００を通じて外科手術部位に導入される。このような外科手術器具の例としては、内視鏡、外科用縫合デバイス、および外科用操作デバイスなどが挙げられるが、これらに限定されない。
【００９６】
外科手術手順が完了した際には、外科医は、バルブポート３０８に取り付けられたチェックバルブを解放することによって、係留バルーン３０４を収縮させる。一旦、係留バルーン３０４が十分に収縮すると、カニューレ３００は、その切開部から取り出される。
【００９７】
そのバルーン切開器具アセンブリ２１２は、第２の型の切開バルーンを備えて提供され、この第２の型の切開バルーンは、横方向に延びる楕円形のバルーンである。その楕円形のバルーンおよび／または球形のバルーンは、弾性または非弾性の材料を含みうる。弾性材料は、その患者の身体において最小の抵抗性の経路をたどる傾向があるのに対して、非弾性バルーンは、所定の形状に拡大する傾向がある。バルーンの型の選択は、外科医に委ねられる。
【００９８】
その楕円形の切開バルーン２１４ｂは、望ましくは、最初に折りたたまれた構成を有し、図２Ａと関連して上記で議論される巻かれた構成と同様に、バルーン２１４ｂの横方向の縁部は、バルーン切開器具アセンブリ２１２の栓子２２６に向かって内側に巻かれている。栓子２２６は、望ましくは、バルーン２１４ｂの巻かれた縁部を収容するために、２つの凹部が設けられたフラット３４０（栓子２２６の側方側の各々に１つずつある）を有する（図９）。スリーブ（示さず）は、切開バルーン２１４ｂの周りに設けられて、身体に挿入する間かつ膨張させる前に、折りたたまれた状態に切開バルーン２１４ｂを保持する。そのスリーブは、上記で議論されるように、ポリマー材料のシートを含み、このシートは、バルーン２１４ｂの材料に取り付けられ得る。このスリーブは、長手軸方向に弱くされた穿孔された領域を備え、その結果、切開バルーン２１４ｂの膨張の際に、そのスリーブは、その穿孔に沿って分かれ、切開バルーン２１４ｂを解放する。そのバルーンが膨張するにつれて、そのバルーンは、チューブ２１８に対して横方向に、巻または折りたたみが解かれる。
【００９９】
本開示の例示的実施形態は、添付の図面を参照して本明細書で記載されてきたものの、この開示は、まさにそれらの実施形態に限定されず、種々の他の変更および改変が、この開示の範囲および趣旨から逸脱することなく、当業者によってこれらの実施形態において行われうることが理解されるべきである。全てのこのような変更および改変は、この開示の範囲内に包含されることが意図される。
【図１】
2010179118.tif 000003
【図２】
2010179118.tif 000004
【図２−１】
2010179118.tif 000005
【図３】
2010179118.tif 000006
【図４】
2010179118.tif 000007
【図４−１】
2010179118.tif 000008
【図５】
2010179118.tif 000009
【図６】
2010179118.tif 000010
【図７】
2010179118.tif 000011
【図８】
2010179118.tif 000012
【図９】
2010179118.tif 000013
【図１０】
2010179118.tif 000014